(57)【要約】【課題】拡大、縮小、移動、回転等の編集が自由に可能であり、操作性を高めると共に、複数頁の画像間のオブジェクトの移動、複数頁の画像のまとめ等、複数頁の画像を対象とする編集が可能である画像編集装置及びコンピュータプログラムを提供する。【解決手段】読み取った画像が表示される表示部５の表示画面への接触操作位置を検出し、この検出結果に基づき、編集すべき編集領域の指定を受け付け、並びに前記検出結果に基づき、編集に係る指示を受け付け、受け付けた指示に従って前記表示部５に表示された画像の編集を行い、該編集の後、前記表示部５に表示された画像に基づき、出力を行う。【選択図】図４
2011023818.tif 000002
【特許請求の範囲】
【請求項１】
読み取った画像を編集する画像編集装置において、
前記画像が表示される表示部と、
該表示部の表示画面への接触操作位置を検出する検出手段と、
該検出手段の検出結果に基づき、編集すべき編集領域の指定を受け付ける領域指定受付手段と、
前記検出手段の検出結果に基づき、編集に係る指示を受け付ける編集指示受付手段と、
該編集指示受付手段が受け付けた指示に従って前記表示部に表示された画像を編集する編集手段と、
前記表示部に表示された画像に基づき、出力を行う出力手段と
を備えることを特徴とする画像編集装置。
【請求項２】
前記表示部に表示された画像に付すべき文字の入力を受け付ける入力受付手段と、
前記検出手段の検出結果に基づき、文字入力の位置を判定する位置判定手段とを備えることを特徴とする請求項１に記載の画像編集装置。
【請求項３】
前記編集指示受付手段は、
前記領域指定受付手段が受け付けた指定に係る編集領域の移動指示を受け付ける移動指示受付手段を備えることを特徴とする請求項１に記載の画像編集装置。
【請求項４】
前記出力手段は、
前記領域指定受付手段が受け付けた指定に係る編集領域に基づく画像を出力するように構成されていることを特徴とする請求項１に記載の画像編集装置。
【請求項５】
読み取った複数頁の画像の夫々が頁毎に前記表示部に表示され、
前記移動指示受付手段は、画像間での前記編集領域の移動指示を受け付けるように構成してあることを特徴とする請求項３に記載の画像編集装置。
【請求項６】
表示部を備え、該表示部の表示画面への接触操作位置を検出して前記表示部に表示される画像の編集を行うコンピュータにて実行されるコンピュータプログラムにおいて、
コンピュータに、前記接触操作位置の検出結果に基づき、編集すべき編集領域の指定を受付させるステップと、
コンピュータに、前記接触操作位置の検出結果に基づき、編集に係る指示を受付させる編集指示受付ステップと、
コンピュータに、前記編集指示受付ステップが受け付けた指示に従って、前記表示部に表示された画像を編集させるステップと、
コンピュータに、前記表示部に表示された画像に基づく出力を実行させるステップと、
コンピュータに、前記表示部に表示された画像に付すべき文字の入力を受付させるステップと、
コンピュータに、前記接触操作位置の検出結果に基づき、文字入力の位置を判定させるステップと
を実行させることを特徴とするコンピュータプログラム。
【発明の詳細な説明】
【技術分野】
【０００１】
本発明は、読み取った画像を編集する画像編集装置及びコンピュータプログラムに関する。
【背景技術】
【０００２】
原稿の画像を読み取って、その画像の拡大、縮小等を行う画像処理装置、又は該画像処理装置を備える画像形成装置（例えば、デジタル複合機）が広く普及されている。前記画像処理装置及び画像形成装置には、技術発展と共に多様な機能が搭載され、利用者の利便性を高めている。
【０００３】
例えば、特許文献１には、原稿画像の画像データを入力する入力手段と、入力された画像データに対応するプレビュー画像データを作成して格納する格納手段と、前記原稿画像のサイズを検出する検出手段と、前記サイズに基づき、前記プレビュー画像データの表示部への表示位置を制御する制御手段とを備え、必要に応じて前記表示部へのプレビュー画像の大きさ及び表示位置を変更することが出来る画像処理装置が開示されている。
【先行技術文献】
【特許文献】
【０００４】
【特許文献１】特開平９−３７０６４号公報
【発明の概要】
【発明が解決しようとする課題】
【０００５】
しかしながら、上述した特許文献１の画像処理装置は、原稿のプレビュー画像の大きさ及び表示位置を変えて任意のレイアウトにできることに留まっており、画像自体、又は出力すべき画像の編集は出来ないという問題があった。例えば、原稿が複数の図形、記号等のオブジェクトを含んでいる場合、何れか一つのオブジェクトのみを移動させ、拡大させ、縮小させ、又は回転させる等の編集が出来ず、このような編集のためには、原稿そのものを切り貼りして、新たに原稿を作る必要があった。
【０００６】
本発明は、斯かる事情に鑑みてされたものであり、その目的とするところは、読み取った画像が表示される表示部の表示画面への接触操作位置を検出し、この検出結果に基づき、編集すべき編集領域の指定を受け付け、並びに前記検出結果に基づき、編集に係る指示を受け付け、受け付けた指示に従って前記表示部に表示された画像の編集を行い、該編集の後、前記表示部に表示された画像に基づき、出力を行うことにより、拡大、縮小、移動、回転等の編集が自由に可能であり、接触操作を用いて操作性を高めると共に、表示部に表示された画像に基づく出力を行うことから、複数頁の画像間のオブジェクトの移動、複数頁の画像のまとめ等、複数頁の画像を対象とする編集が可能である画像編集装置及びコンピュータプログラムを提供することにある。
【課題を解決するための手段】
【０００７】
本発明に係る画像編集装置は、読み取った画像を編集する画像編集装置において、前記画像が表示される表示部と、該表示部の表示画面への接触操作位置を検出する検出手段と、該検出手段の検出結果に基づき、編集すべき編集領域の指定を受け付ける領域指定受付手段と、前記検出手段の検出結果に基づき、編集に係る指示を受け付ける編集指示受付手段と、該編集指示受付手段が受け付けた指示に従って前記表示部に表示された画像を編集する編集手段と、前記表示部に表示された画像に基づき、出力を行う出力手段とを備えることを特徴とする。
【０００８】
本発明にあっては、利用者により前記表示部の表示画面への接触操作が行われた場合、前記検出手段がそれを検出し、該検出手段の検出結果に基づいて、前記領域指定受付手段が前記編集領域の指定を受け付ける。また、前記編集指示受付手段は、前記検出手段の検出結果に基づいて、前記編集領域の編集に係る指示を受け付け、前記編集手段は該編集指示受付手段が受け付けた指示に従って、前記表示部に表示された画像の編集を行う。その後、前記出力手段は前記表示部に表示された画像に基づき、例えば、シート上に出力を行う。
【０００９】
本発明に係る画像編集装置は、前記表示部に表示された画像に付すべき文字の入力を受け付ける入力受付手段と、前記検出手段の検出結果に基づき、文字入力の位置を判定する位置判定手段とを備えることを特徴とする。
【００１０】
本発明にあっては、利用者により前記表示部の表示画面への接触操作が行われた場合、前記検出手段の検出結果に基づき、前記位置判定手段が文字入力の位置を判定し、斯かる文字入力の位置に、前記入力受付手段が受け付けた入力に係る文字が付される。
【００１１】
本発明に係る画像編集装置は、前記編集指示受付手段は、前記領域指定受付手段が受け付けた指定に係る編集領域の移動指示を受け付ける移動指示受付手段を備えることを特徴とする。
【００１２】
本発明にあっては、前記移動指示受付手段は前記領域指定受付手段が受け付けた指定に係る編集領域の移動指示を受け付け、前記編集手段は前記移動指示受付手段が受け付けた指示に従って前記編集領域の移動の編集を行う。
【００１３】
本発明に係る画像編集装置は、前記出力手段は、前記領域指定受付手段が受け付けた指定に係る編集領域に基づく画像を出力するように構成されていることを特徴とする。
【００１４】
本発明にあっては、前記出力手段は、前記検出手段の検出結果に基づいて前記領域指定受付手段が受け付けた指示に係る編集領域に基づく画像を、例えばシート上に出力する。
【００１５】
本発明に係る画像編集装置は、読み取った複数頁の画像の夫々が頁毎に前記表示部に表示され、前記移動指示受付手段は、画像間での前記編集領域の移動指示を受け付けるように構成してあることを特徴とする。
【００１６】
本発明にあっては、前記移動指示受付手段が、読み取った複数頁の夫々の画像の間における、前記編集領域の移動指示を受け付ける。前記編集手段は前記移動指示受付手段が受け付けた指示に従って、複数の画像間での前記編集領域の移動の編集を行う。
【００１７】
本発明に係るコンピュータプログラムは、表示部を備え、該表示部の表示画面への接触操作位置を検出して前記表示部に表示される画像の編集を行うコンピュータにて実行されるコンピュータプログラムにおいて、コンピュータに、前記接触操作位置の検出結果に基づき、編集すべき編集領域の指定を受付させるステップと、コンピュータに、前記接触操作位置の検出結果に基づき、編集に係る指示を受付させる編集指示受付ステップと、コンピュータに、前記編集指示受付ステップが受け付けた指示に従って、前記表示部に表示された画像を編集させるステップと、コンピュータに、前記表示部に表示された画像に基づく出力を実行させるステップと、コンピュータに、前記表示部に表示された画像に付すべき文字の入力を受付させるステップと、コンピュータに、前記接触操作位置の検出結果に基づき、文字入力の位置を判定させるステップとを実行させることを特徴とする。
【００１８】
本発明にあっては、利用者により前記表示部の表示画面への接触操作が行われた場合、斯かる接触操作位置の検出結果に基づいて、前記編集領域の指定を受け付ける。また、前記接触操作位置の検出結果に基づいて、前記編集領域の編集に係る指示を受け付け、受け付けた指示に従って、前記表示部に表示された画像の編集が行われ、その後前記表示部に表示された画像に基づく出力が行われる。また、前記接触操作位置の検出結果に基づいて、文字入力の位置を判定し、斯かる文字入力の位置に、受け付けた入力に係る文字が付される。
【発明の効果】
【００１９】
本発明によれば、原稿の画像に対する拡大、縮小、移動、回転等の編集が自由に可能であり、接触操作を用いるので操作性を高めることができ、表示部に表示された画像に基づく出力を行うことから、複数頁の画像間のオブジェクトの移動、複数頁の画像のまとめ等、複数頁の画像を対象とする編集が可能である。
【図面の簡単な説明】
【００２０】
【図１】本発明の実施の形態１に係るデジタル複合機の一例を示す斜視図である。
【図２】本発明の実施の形態１に係るデジタル複合機の内部構成を示す模式的断面図である。
【図３】本発明の実施の形態１に係るデジタル複合機の引き出し式入力部の一例を示す模式図である。
【図４】本発明の実施の形態１に係るデジタル複合機の要部構成を示す機能ブロック図である。
【図５】本発明の実施の形態１に係るデジタル複合機の制御部の要部構成を示す機能ブロック図である。
【図６】本発明の実施の形態１に係るデジタル複合機における編集領域の指定を説明する説明図である。
【図７】本発明の実施の形態１に係るデジタル複合機における編集領域の指定を説明する説明図である。
【図８】本発明の実施の形態１に係るデジタル複合機における編集処理を示すフローチャートである。
【図９】本発明の実施の形態１に係るデジタル複合機における編集処理を示すフローチャートである。
【図１０】本発明の実施の形態１に係るデジタル複合機の表示部に表示されたプレビューの一例を示す例示図である。
【図１１】本発明の実施の形態１に係るデジタル複合機の移動処理を説明するための説明図である。
【図１２】本発明の実施の形態１に係るデジタル複合機において、移動処理が施された後、表示部に表示されたプレビューを示す例示図である。
【図１３】本発明の実施の形態１に係るデジタル複合機において、移動処理が施された後、表示部に表示されたプレビューに基づく画像を出力した場合の例示図である。
【図１４】本発明の実施の形態２のデジタル複合機の要部構成を示す機能ブロック図である。
【発明を実施するための形態】
【００２１】
以下、本発明に係る画像編集装置をコピー機能、印刷機能等を有するデジタル複合機に適用した形態について図面を用いて具体的に説明する。
【００２２】
（実施の形態１）
図１は本発明の実施の形態１に係るデジタル複合機１の一例を示す斜視図、図２は本発明の実施の形態１に係るデジタル複合機１の内部構成を示す模式的断面図である。デジタル複合機１の最上側には原稿読取部１０が設けられており、その下側に画像形成部２０及び排紙部４０が並設され、更にこれらの下側に給紙部５０が配置されている。
【００２３】
原稿読取部１０は、複数枚のシートからなる原稿を順次的に取込むためのＡＤＦ（Automatic Document Feeder）、及び読取るべき原稿を整列させた状態で載置するための原稿台１６、ユーザの指示を受け付ける操作パネル７、利用者に対して情報を表示する表示部５、ＡＤＦによって取込まれた原稿、又は原稿台１６に載置された原稿の画像を読取る読取ユニット８及び裏読取ユニット９を備えている。
【００２４】
原稿読取部１０に搭載されているＡＤＦは、読取用の原稿をフェイスアップの状態で積層するための原稿トレイ１１、原稿トレイ１１に積層された原稿を最上層から１枚ずつ取込むためのピックアップローラ１３、一枚以上の原稿が取り込まれることを防ぐサバキ板１４、ピックアップローラ１３により取込んだ原稿を原稿台１６まで搬送する搬送ローラ１５、画像の読取が済んだ原稿が排出される排紙トレイ１７、画像を読取った後に原稿を排紙トレイ１７へ排出する排紙ローラ１７ａ、原稿トレイ１１上の原稿の有無を検知する原稿検知センサ１２を備えている。
【００２５】
原稿読取部１０に搭載されている読取ユニット８は、原稿の表面に記録されている画像を読取るために光源ユニット１９ａ、ミラーユニット１９ｂ、結像レンズ１８ａ、及びＣＣＤ１８ｂ等を備えている。読取ユニット８によって読み取られた原稿の画像データに基づく画像はプレビューとして表示部５に表示され、該プレビューを用いて編集が行われる。
【００２６】
光源ユニット１９ａは、露光ランプから照射される読取用の照明光を凹面のリフレクタにより原稿台１６の適宜の読取り位置に集光させ、原稿台１６の面に対して反射面を４５°に設置したミラーによって原稿からの反射光の光路を９０°変更し、ミラーユニット１９ｂへと導くように構成されている。ミラーユニット１９ｂは、光源ユニット１９ａのミラーによって光路を９０°変更された光の光路を更に１８０°変更するために、反射面が相互に直交するように配置された一対のミラーを備えている。ＡＤＦから供給される原稿のシートを読取る場合には、光源ユニット１９ａを所定の読取り位置に保持した状態で画像を読取り、原稿台１６にセットされた原稿を読取る場合には、光源ユニット１９ａを原稿台１６の面に平行に走査させるように構成されている。
【００２７】
ミラーユニット１９ｂによって導かれた光は結像レンズ１８ａの作用によりＣＣＤ１８ｂに結像する。ＣＣＤ１８ｂは略一直線上に配置したフォトセルを数千個備えている。各フォトセルは光電変換を行い、入射した光をその光量に応じたアナログ電気信号に変換して出力する。ＣＣＤ１８ｂから出力されたアナログ電気信号は、図に示していないＡＤ変換器によりデジタル信号に変換され、原稿読取時の光源の配光特性、ＣＣＤ１８ｂの感度ムラ等の補正が施された後、画像データとして生成される。生成された画像データは後述する画像メモリ１０５（図４参照）へ出力される。
【００２８】
一方、裏読取ユニット９は、原稿の裏面（上側面）を読取るものである。裏読取ユニット９は、原稿台１６の上方に配置されており、原稿の裏面を照射する露光ランプ（ＬＥＤアレイ、蛍光灯等）、画素毎に、原稿の反射光を集光するセルフォック（登録商標）レンズアレイ、及びセルフォックレンズアレイを通じて受光した原稿の反射光を光電変換して、アナログの画像信号を出力する密着イメージセンサ（ＣＩＳ；Contact Image Sensor）等を備えている。
【００２９】
操作パネル７は利用者による操作によって処理指示、設定等を受付ける。操作パネル７は機能の切替操作、印刷処理における出力枚数、コピー処理における変倍等の設定を受付けるために各種機能キー（プリンタキー、コピーキ―、ファックスキー、読み取りキ―等）、テンキー、スタートキー、電源キー等を備えている。
【００３０】
表示部５は装置の状態、ジョブ処理の状況、操作パネル７の操作内容の確認等、利用者に対して報知すべき情報を表示する。表示部５は液晶ディスプレイ（表示画面）、及び該液晶ディスプレイへの利用者の指先の接触を検知するタッチパネルを備えている。該タッチパネルは、例えば、指先の押圧操作による圧力の変化を検知し、又は静電気による電気信号を検知し、利用者の指先の接触点の表示画面上の座標を特定する信号を発生する。
【００３１】
操作パネル７及び表示部５の下側には、引き出し式入力部６が設けられている。図３は本発明の実施の形態１に係るデジタル複合機１の引き出し式入力部６の一例を示す模式図である。引き出し式入力部６は表示部５Ａ及びキーボード７Ａを備えている。表示部５Ａには、表示部５と同様の画像が表示され、キーボード７Ａは表示部５，５Ａに表示される画像に文字を入力する文字キー、数字を入力するテンキー等が設けられている。
【００３２】
画像形成部２０は、感光体ドラム２３、感光体ドラム２３を帯電させる帯電器２５、帯電した感光体ドラム２３上に潜像を書き込むレーザ書込装置２１、感光体ドラム２３上の潜像を現像する現像器２２、感光体ドラム２３上に残留している現像剤を除去して感光体ドラム２３を再生するクリーニングユニット２４、感光体ドラム２３表面のトナーを記録用紙に転写する転写装置２８等からなる電子写真方式のプロセス部を備えており、このプロセス部に用紙を搬送することによって画像形成を行う。なお、記録用紙の片面だけを印刷するための主搬送路Ｓ１（図中、一点鎖線で表示）と、記録用紙の両面に印刷するための反転搬送路Ｓ２との合流位置には分岐爪２９が設けられ、印刷における記録形式、つまり、記録用紙の片面に印刷を行うか、両面に印刷を行うか等を示す印刷モード（両面印刷・片面印刷、白黒印刷・カラー印刷等）に応じて記録用紙の表裏を反転させる。
【００３３】
また、画像形成部２０は、プロセス部の下方（上流側）に用紙を収容するための給紙カセット３０を備えており、用紙搬送路Ｓ１の近傍に設けられたピックアップローラ３０ａによって収容された用紙を１枚ずつ分離給送する。給紙カセット３０から分離給送された用紙がプロセス部へ搬送された場合、その用紙はレジストローラ３１によって一旦保持される。レジストローラ３１は、図に示していないレジスト前検知スイッチの検知信号に基づいて、感光体ドラム２３上のトナー像の先端を、用紙の画像形成領域の先端に合わせるタイミングに制御して、感光体ドラム２３の回転に合わせてプロセス部へ搬送するように構成されている。
【００３４】
更に、画像形成部２０の下側には給紙部５０が設置されており、複数種の用紙を収容するために給紙カセット５１，５２，５３が設けられている。給紙部５０では、前述と同様に、給紙カセット５１，５２，５３が夫々備えるピックアップローラ５１ａ，５２ａ，５３ａにより収容された用紙が１枚ずつ分離給送され、用紙搬送路Ｓ１を通じて画像形成部２０のプロセス部へ搬送される。
【００３５】
プロセス部にてトナー像が転写された用紙は、プロセス部の下流側に設置された定着ユニット２７へと搬送される。定着ユニット２７は、ヒートローラ及び加圧ローラを備えており、これら２つのローラによりトナー像が転写された用紙を挟んで回転させ、ヒートローラの熱によりトナー像を用紙上に加熱定着させる。
【００３６】
定着ユニット２７によりトナー像を加熱定着させた用紙は、本デジタル複合機１が備える幾つかの排紙トレイの何れかに排出される。デフォルトの設定では、排紙すべき用紙が排紙トレイ３４に導かれるように搬送ローラ３２及び切替ゲート３３が制御され、排紙ローラ３４ａを通じてフェイスダウンの状態で排紙トレイ３４上に排出される。一方、排紙部４０が備える排紙トレイ４１に用紙を排出することが指定されている場合、切替ゲート３３を切替えて搬送ローラ３５により排紙部４０に用紙を導き、切替ゲート４１ａ及び排紙ローラ４１ｂを通じて排紙トレイ４１上に用紙を排出する。排紙トレイ４２（又は排紙トレイ４３）に排出する場合も同様であり、切替ゲート４１ａ，４２ａ，４３ａにより搬送経路を制御し、排紙ローラ４２ｂ（又は排紙ローラ４３ｂ）を駆動することにより目的のトレイに用紙を排出する。
【００３７】
また、フェイスアップの状態で用紙を排出する場合、又は用紙の両面に画像形成を行う場合には、搬送ローラ３２，３５により用紙を一旦把持した後、搬送ローラ３２，３５を逆方向に回転駆動させて搬送ローラ３６により両面原稿搬送路Ｓ２へ用紙を導く。フェイスアップの状態で排紙を行う場合には、排紙ローラ３７ａを通じて排紙トレイ３７へ排出する。また、用紙の両面に画像形成を行う場合には、両面原稿搬送路Ｓ２を介して再び画像形成部２０のレジストローラ３１へ導き、画像形成部２０のプロセス部において用紙の裏面側にトナー像の形成を行う。なお、両面原稿搬送路Ｓ２の下端側には手差トレイ３８が設置されており、給紙カセット３０，５１，５２，５３に収容されていない種類の用紙をピックアップローラ３８ａにより取り込めるように構成されている。
【００３８】
図４は本発明の実施の形態１に係るデジタル複合機１の要部構成を示す機能ブロック図である。デジタル複合機１は制御部１０１を備えており、制御部１０１には、前述した原稿読取部１０、画像形成部２０の他、ＲＯＭ１０３、ＲＡＭ１０４、操作パネル７、表示部５（５Ａ）、キーボード７Ａ、画像メモリ１０５、画像処理部１０６、通信ＩＦ１０７等のハードウェアがバス１０２を介して接続されている。
【００３９】
制御部１０１は、ＲＯＭ１０３に予め格納されている制御プログラムをＲＡＭ１０４上にロードして実行することにより、前述の各種ハードウェアの制御を行い、装置全体を本発明の実施の形態１に係る画像編集装置として動作させる。
【００４０】
図５は本発明の実施の形態１に係るデジタル複合機１の制御部１０１の要部構成を示す機能ブロック図である。制御部１０１は、ＣＰＵ１１０と、接触位置検出部１１１と、領域指定受付部１１２と、文字入力位置判定部１１３と、編集指示受付部１１４とを備えている。
【００４１】
接触位置検出部１１１は表示部５から信号を受信し、表示部５の表示画面（タッチパネル）へ接触操作を行う指先の前記表示画面上の座標を検出する。接触位置検出部１１１の検出結果に基づき、ＣＰＵ１１０は、表示画面上における利用者の指先の移動距離、移動軌跡、移動方向等を検出することが出来る。
【００４２】
領域指定受付部１１２は、表示部５を介して、表示部５に表示された画像の中、編集を希望する領域（以下、編集領域と言う）の指定を受け付ける。図６及び図７は本発明の実施の形態１に係るデジタル複合機１における編集領域の指定を説明する説明図である。原稿読取部１０によって読み取られ、表示部５に表示された原稿のプレビューには、複数の図形のオブジェクトが表示されている。
【００４３】
斯かる編集領域の指定は、例えば、図６に示すように、利用者が指先を表示部５の表示画面に接触させた状態のままドラッグして、所定のオブジェクトを含む編集領域を描くように移動することにより行われる。領域指定受付部１１２は、ＣＰＵ１１０及び接触位置検出部１１１による指先の移動軌跡（図６中、点線にて表示）の検出結果に係る座標に基づき、前記移動軌跡によって囲まれる範囲を編集領域として受け付ける。
【００４４】
また、領域指定受付部１１２は、前記原稿の画像データに基づき、最も頻度の高い輝度（明度）に係る領域、又は所定の輝度（明度）以上の領域を余白としてみなし、前記編集領域から除去して当該オブジェクトに係る画像部分のみを編集領域とする。編集領域として受け付けた前記画像の部分は、図７に示すように、色が反転されて表示される。
【００４５】
文字入力位置判定部１１３は、表示部５に表示されたプレビューの画像に文字を入力する編集を行う場合における文字入力の位置を判定する。斯かる文字入力位置の判定は、以下のように行われる。
利用者は文字入力を希望する表示部５の表示画面の位置を指先にてタッチする。文字入力位置判定部１１３は、指先と表示部５の表示画面との接触時間を計時し、所定時間以下である場合、指先の接触点に係る表示部５の表示画面の座標をＣＰＵ１１０から取得して文字入力位置として判定する。文字入力位置判定部１１３は前記文字入力位置にカーソルを点滅表示させる。
【００４６】
編集指示受付部１１４は、移動指示受付部１１５と、回転指示受付部１１６と、拡大指示受付部１１７と、縮小指示受付部１１８とを備えている。以下、これらの作用の一例について説明する。
【００４７】
例えば、領域指定受付部１１２が編集領域の指定を受け付けた場合は、図７に示すように、指定に係る編集領域の中心点から外側に延びる直線の端に円形ポイントＰが表示される。また、「＋」記号が付され、前記編集領域の拡大指示を受け付けるための拡大ソフトキーＭ、及び「−」記号が付され、前記編集領域の縮小指示を受け付けるための縮小ソフトキーＲが表示される。
【００４８】
このような状態にて、回転指示受付部１１６は、接触位置検出部１１１の検出結果に基づき、利用者の指先がポイントＰと接触したか、かつ表示部５の表示画面との接触時間が所定時間以上であるかを判定する。該接触時間が所定時間以上であり、ポイントＰと接触したと判定した場合、回転指示受付部１１６は当該編集領域の回転指示を受け付けたものと認識する。
【００４９】
利用者は指先を表示部５の表示画面のポイントＰに当てた状態のまま、希望する回転方向に任意の距離（角度）だけドラッグした後、指先を表示部５の表示画面から離す。この際、ＣＰＵ１１０は接触位置検出部１１１の検出結果に基づき、指先を離した位置（以下、離接点と言う。）の座標を取得し、前記中心点を中心として、ポイントＰ及び前記離接点によって成される角度を演算し、演算結果に基づく前記編集領域の回転を後述する編集処理部１０８に指示する。編集処理部１０８は、前記演算結果に係る角度だけ回転した編集領域の画像を、回転前の編集領域に置き換えて前記プレビューに合成して表示する。
【００５０】
一方、移動指示受付部１１５は、接触位置検出部１１１の検出結果に基づき、利用者の指先が前記編集領域の一部と接触したか、かつ表示部５の表示画面との接触時間が所定時間以上であるかを判定する。該接触時間が所定時間以上であり、前記編集領域の一部と接触したと判定した場合、接触位置検出部１１１の検出結果及びＣＰＵ１１０の演算結果に基づき、移動指示受付部１１５は斯かる離接点までの当該編集領域の移動指示を受け付けたものと認識する。
【００５１】
また、利用者の指先が拡大ソフトキーＭと接触した場合、接触位置検出部１１１の検出結果に基づき、拡大指示受付部１１７は当該編集領域の拡大指示を受け付けたものと認識する。利用者の指先が縮小ソフトキーＲと接触した場合、接触位置検出部１１１の検出結果に基づき、縮小指示受付部１１８は当該編集領域の拡大指示を受け付けたものと認識する。
【００５２】
画像メモリ１０５は、例えば、揮発性のページメモリであり、原稿読取部１０にて取得した画像データ、後述の通信ＩＦ１０７を通じて受信した印刷ジョブに係る画像データ、画像処理部１０６により処理すべき画像データ等を頁又はシート単位で一時的に記憶する。画像メモリ１０５に記憶された画像データは、例えば、操作パネル７を介してユーザの指示を受付けたときに読出される。
【００５３】
画像処理部１０６は、画像メモリ１０５に記憶された画像データに対し操作パネル７又は印刷ジョブにて指定された処理を施す。また、画像処理部１０６は原稿読取部１０にて読み取られた画像に係るプレビューを作成する。画像処理部１０６は編集処理部１０８を備えており、編集処理部１０８は表示部５，５Ａに表示されたプレビューに基づき、拡大、縮小等の編集処理を行い、編集されたプレビューの画像を編集処理前のプレビューに合成した画像を形成する。該画像は表示部５，５Ａに表示される。
【００５４】
通信ＩＦ１０７は、ローカルエリアネットワーク、インターネット網等の通信ネットワークに接続するためのインタフェースを備えている。デジタル複合機１は、通信ＩＦ１０７を介して外部機器との接続を確立させ、接続が確立された外部機器と各種データの授受を行う。また、通信ＩＦ１０７は、可搬形記録媒体と接続するための端子を有している。
その他、実施の形態１に係るデジタル複合機１は、計時部（図示せず）を備え、利用者の指先と表示部５の表示画面との接触時間を計る。
【００５５】
以下、本発明の実施の形態１に係るデジタル複合機１の編集処理について詳しく説明する。説明の便宜上、原稿読取部１０の原稿台１６に載置した２枚の原稿を同時に読み取り、読み取られた２枚の原稿に係る画像のプレビューが表示部５，５Ａに表示された場合を例として説明する。利用者は該プレビューを用いて、一方の頁のオブジェクトを他方の頁に移動させる編集を行うものとする。
【００５６】
図８及び図９は本発明の実施の形態１に係るデジタル複合機１における編集処理を示すフローチャートである。利用者は原稿読取部１０の原稿台１６に２枚の原稿を載置し、操作パネル７の読み取りキーを操作して前記原稿の読み取りを指示する。ＣＰＵ１１０は、操作パネル７を介して読み取りの指示を受け付け、原稿読取部１０に前記原稿の読み取りを指示することにより、前記原稿の読み取りを行う（ステップＳ１０１）。
【００５７】
原稿読取部１０はＣＰＵ１１０の指示に従って前記原稿を読み取り、読み取られた画像データに基づく画像のプレビューが画像処理部１０６によって作成され、表示部５，５Ａに表示される（ステップＳ１０２）。図１０は表示部５，５Ａに表示されたプレビューの一例を示す例示図である。２頁の画像の夫々が頁毎に表示されており、点線によって頁の境界が表されている。
【００５８】
利用者は該プレビューに基づいて、一方の頁のオブジェクト（笑顔模様）を他方の頁に移動させる編集を行う。利用者は表示部５の表示画面（タッチパネル）に指先を当てた状態のままドラックして、例えば、前記オブジェクトを取り囲む円を描き、編集領域の指定を行う。
【００５９】
領域指定受付部１１２は、ＣＰＵ１１０及び接触位置検出部１１１による指先の移動軌跡の検出結果に基づき、例えば前記移動軌跡が閉曲線をなす場合、前記移動軌跡によって囲まれる範囲を編集領域として、編集領域指定を受け付ける（ステップＳ１０３）。
【００６０】
領域指定受付部１１２は、上述したように、前記移動軌跡によって囲まれる範囲から当該オブジェクトに係る画像部分のみを編集領域として受け付け、前記画像部分は色が反転されて表示される。
【００６１】
次いで、ＣＰＵ１１０は操作パネル７を監視することにより、出力指示を受け付けたか否かを判定する（ステップＳ１０４）。例えば、編集領域指定を受け付け後、操作パネル７のプリンタキーが操作された場合、ＣＰＵ１１０は出力指示を受け付けたものと判定するように構成されている。
【００６２】
ＣＰＵ１１０は操作パネル７を介して出力指示を受け付けたと判定した場合（ステップＳ１０４：ＹＥＳ）、処理をステップＳ１１３に移動させ、画像形成部２０に指示することにより、前記編集領域に係る画像の出力を行う（ステップＳ１１３）。画像形成部２０はＣＰＵ１１０の指示に従って、前記編集領域に係る画像を例えば、記録用紙上に出力する。
【００６３】
一方、ＣＰＵ１１０は操作パネル７を介して出力指示を受け付けていないと判定した場合（ステップＳ１０４：ＮＯ）、接触位置検出部１１１の検出結果に基づき、表示部５の表示画面の接触操作があったか否かを判定する（ステップＳ１０５）。
【００６４】
ＣＰＵ１１０は表示部５の表示画面の接触操作がなかったと判定した場合（ステップＳ１０５：ＮＯ）、処理をステップＳ１０４に戻す。一方、ＣＰＵ１１０は表示部５の表示画面の接触操作があったと判定した場合（ステップＳ１０５：ＹＥＳ）、接触位置検出部１１１の検出結果に基づき、拡大指示を受け付けたか否かを判定する（ステップＳ１０６）。つまり、利用者の指先が拡大ソフトキーＭと接触することにより、拡大指示受付部１１７は斯かる編集領域の拡大指示を受け付ける。
【００６５】
ＣＰＵ１１０は拡大指示を受け付けたと判定した場合（ステップＳ１０６：ＹＥＳ）、前記編集領域の拡大処理を実行する（ステップＳ１１７）。編集領域の拡大処理においては、拡大ソフトキーＭの一回接触操作当たりの拡大の倍率が予め設定されており、編集処理部１０８は接触位置検出部１１１の検出結果に基づき、接触操作の回数に既設定倍率を乗じて得た倍率に前記編集領域を拡大して合成する。なお、これに限るものでなく、拡大ソフトキーＭの接触操作毎に実行すべき拡大倍率を表示するように構成しても良い。
【００６６】
ＣＰＵ１１０は拡大指示を受け付けていないと判定した場合（ステップＳ１０６：ＮＯ）、接触位置検出部１１１の検出結果に基づき、縮小指示を受け付けたか否かを判定する（ステップＳ１０７）。つまり、利用者の指先が縮小ソフトキーＲと接触することにより、縮小指示受付部１１８は斯かる編集領域の縮小指示を受け付ける。
【００６７】
ＣＰＵ１１０は縮小指示を受け付けたと判定した場合（ステップＳ１０７：ＹＥＳ）、前記編集領域の縮小処理を実行する（ステップＳ１１８）。編集領域の縮小処理においては、拡大処理の場合と同様に、一回接触操作当たりの縮小の倍率が予め設定されており、編集処理部１０８は接触位置検出部１１１の検出結果に基づき、接触操作の回数に既設定倍率を乗じて得た倍率に前記編集領域を縮小して合成する。なお、これに限るものでなく、縮小ソフトキーＲの接触操作毎に実行すべき縮小倍率を表示するように構成しても良い。
【００６８】
ＣＰＵ１１０は縮小指示を受け付けていないと判定した場合（ステップＳ１０７：ＮＯ）、接触位置検出部１１１の検出結果及び前記計時部の計時結果に基づき、接触操作において、利用者の指先と表示部５の表示画面との接触時間が所定時間以上であるか否かを判定する（ステップＳ１０８）。
【００６９】
ＣＰＵ１１０は、利用者の指先と表示部５の表示画面との接触時間が所定時間以上でないと判定した場合（ステップＳ１０８：ＮＯ）、接触位置検出部１１１の検出結果に基づき、文字入力位置を判定する。詳しくは、接触位置検出部１１１の検出結果に基づき、利用者の指先が接触した位置を文字入力位置として判定し（ステップＳ１１４）、プレビューの該文字入力位置に対応する位置にカーソルが表示される。
【００７０】
次いで、利用者はキーボード７Ａを操作することによって文字を入力し、ＣＰＵ１１０はキーボード７Ａを介して文字入力を受け付ける（ステップＳ１１５）。ＣＰＵ１１０は、受け付けた文字入力に係る文字を前記プレビューに付するように編集処理部１０８に指示することにより、文字入力処理を行う（ステップＳ１１６）。ＣＰＵ１１０の指示に従って編集処理部１０８は、前記プレビューの前記文字入力位置に文字入力に係る文字を表示する処理を行う。
【００７１】
ＣＰＵ１１０は、利用者の指先と表示部５の表示画面との接触時間が所定時間以上であると判定した場合（ステップＳ１０８：ＹＥＳ）、接触位置検出部１１１の検出結果に基づき、移動指示を受け付けたか否かを判定する（ステップＳ１０９）。つまり、利用者が指先を前記編集領域の一部に当てた状態のままドラックして離した場合、移動指示受付部１１５は斯かる離接点までの前記編集領域の移動指示として受け付ける。
【００７２】
ＣＰＵ１１０は移動指示を受け付けていないと判定した場合（ステップＳ１０９：ＮＯ）、回転指示を受け付けたか否かを判定する（ステップＳ１１９）。斯かる判定は、ＣＰＵ１１０が接触位置検出部１１１の検出結果に基づき、前記ポイントＰの接触操作を監視することによって行われる。例えば、利用者の指先が前記ポイントＰと接触した場合、回転指示受付部１１６は前記編集領域の回転指示を受け付けたものと認識する。
【００７３】
ＣＰＵ１１０は回転指示を受け付けていないと判定した場合（ステップＳ１１９：ＮＯ）、処理をステップＳ１０９に戻す。一方、ＣＰＵ１１０は回転指示を受け付けたと判定した場合（ステップＳ１１９：ＹＥＳ）、編集処理部１０８に指示することにより、回転処理を行う（ステップＳ１２０）。該回転処理については上述しており、詳しい説明を省略する。
【００７４】
一方、ステップＳ１０９にて、ＣＰＵ１１０は移動指示を受け付けたと判定した場合（ステップＳ１０９：ＹＥＳ）、編集処理部１０８に指示することにより、移動処理を行う（ステップＳ１１０）。
【００７５】
図１１は移動処理を説明するための説明図である。
例えば、利用者は色が反転（図中、ハッチングにて表示）して表示されている一方の頁の編集領域の一部に指先を当てた状態のまま、他方の頁の所定位置までドラックした後、指を離す。斯かる場合、移動指示受付部１１５は、接触位置検出部１１１の検出結果に基づき、前記編集領域の一部（図中、Ｓにて表示）から離接点（図中、Ｅにて表示）までの前記編集領域の移動指示として受け付ける。編集処理部１０８は、移動指示受付部１１５が受け付けた移動指示に応じて、前記一方の頁の編集領域を切り出し、前記他方の頁の離接点に付する合成を行う。
【００７６】
ステップＳ１１７、ステップＳ１１８、ステップＳ１２０、ステップＳ１１６及びステップＳ１１０での編集処理後、ＣＰＵ１１０は、夫々のステップで編集処理が施された結果のプレビューを表示部５，５Ａに表示する（ステップＳ１１１）。
【００７７】
図１２はステップＳ１１０で移動処理が施された後、表示部５，５Ａに表示されたプレビューを示す例示図である。前記編集領域が前記一方の頁から切り出され、前記他方の頁の離接点（図中、Ｅにて表示）に付されている。
【００７８】
次いで、ＣＰＵ１１０は操作パネル７を監視することにより、出力指示を受け付けたか否かを判定する（ステップＳ１１２）。例えば、利用者によって操作パネル７のプリンタキーが操作された場合、ＣＰＵ１１０は出力指示を受け付けたものと判定する。
【００７９】
ＣＰＵ１１０は出力指示を受け付けたと判定した場合（ステップＳ１１２：ＹＥＳ）、画像形成部２０に指示することにより、表示部５，５Ａに表示されたプレビューに基づく画像の出力を行う（ステップＳ１１３）。画像形成部２０はＣＰＵ１１０の指示に従って、表示部５，５Ａに表示されたプレビューに基づく画像を例えば、記録用紙上に出力する。図１３はステップＳ１１０で移動処理が施された後、表示部５，５Ａに表示されたプレビューに基づく画像を出力した場合の例示図である。表示部５，５Ａに表示されたプレビューに基づく画像が、点線によって表されていた頁の境界を除いて、記録用紙上に出力されている。
【００８０】
一方、ＣＰＵ１１０は出力指示を受け付けていないと判定した場合（ステップＳ１１２：ＮＯ）、処理をステップＳ１０５に戻す。
【００８１】
本発明の実施の形態１に係るデジタル複合機１は、上述したように、表示部５，５Ａに表示されたプレビューに基づく画像を出力するので、複数頁の原稿から読み取られた、頁毎の複数の画像間において編集領域を移動する編集、該複数の画像をまとめて一枚にする編集等が可能になる。
【００８２】
また、本発明の実施の形態１に係るデジタル複合機１は上述した編集処理に限るものでない。削除、着色等、他の編集処理が可能に構成しても良い。
【００８３】
なお、本発明の実施の形態１では、原稿読取部１０によって２枚の原稿が同時に読み取られて、表示部５，５Ａにこれらのプレビューが表示された場合を例として説明したが、これに限るものでない。例えば、原稿読取部１０が原稿を１枚ずつ読み取り、読み取られた原稿の画像は一旦画像メモリ１０５に格納され、その後、利用者が該原稿の画像を読み出して表示部５，５Ａに表示させることが出来るように構成しても良い。また、表示部５のみでなく、表示部５Ａにもタッチパネルを設け、接触操作ができるように構成しても良い。
【００８４】
（実施の形態２）
図１４は本発明の実施の形態２のデジタル複合機１の要部構成を示す機能ブロック図である。実施の形態２のデジタル複合機１は、動作を行うためのプログラムが、通信ＩＦ１０７介してＣＤ‐ＲＯＭ等の可搬型記録媒体Ａで提供することも可能であるように構成されている。さらに、実施の形態２のデジタル複合機１は、前記コンピュータプログラムを、図示しない外部装置から通信ＩＦ１０７を介してダウンロードすることも可能であるように構成されている。以下に、その内容を説明する。
【００８５】
実施の形態２のデジタル複合機１は外装（又は内装）の記録媒体読み取り装置（図示せず）を備えており、該記録媒体読み取り装置に、接触操作位置の検出結果に基づき、編集すべき編集領域の指定を受付させ、前記接触操作位置の検出結果に基づき、編集に係る指示を受付させ、受け付けた指示に従って、前記表示部に表示された画像を編集させ、前記表示部に表示された画像に基づく出力を実行させ、前記表示部に表示された画像に付すべき文字の入力を受付させ、前記接触操作位置の検出結果に基づき、文字入力の位置を判定させるプログラム等が記録された可搬型記録媒体Ａを挿入して、例えば画像メモリ１０５にこのプログラムをインストールする。かかるプログラムはＲＡＭ１０４にロードして実行される。これにより、実施の形態１の本発明のデジタル複合機１として機能する。
【００８６】
前記記録媒体としては、マイクロコンピュータで処理が行われるために図示していないメモリ、例えばＲＯＭのようなものそのものがプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【００８７】
実施の形態１と同様の部分については、同一の符号を付して詳細な説明を省略する。
【符号の説明】
【００８８】
１  デジタル複合機
５，５Ａ  表示部
７  操作パネル
７Ａ  キーボード
１０  原稿読取部
２０  画像形成部
１０８  編集処理部
１１１  接触位置検出部
１１２  領域指定受付部
１１４  編集指示受付部
１１３  文字入力位置判定部
１１５  移動指示受付部
１１６  回転指示受付部
１１７  拡大指示受付部
１１８  縮小指示受付部
Ａ  可搬型記録媒体 
【図１】
2011023818.tif 000003
【図２】
2011023818.tif 000004
【図３】
2011023818.tif 000005
【図４】
2011023818.tif 000006
【図５】
2011023818.tif 000007
【図６】
2011023818.tif 000008
【図７】
2011023818.tif 000009
【図８】
2011023818.tif 000010
【図９】
2011023818.tif 000011
【図１０】
2011023818.tif 000012
【図１１】
2011023818.tif 000013
【図１２】
2011023818.tif 000014
【図１３】
2011023818.tif 000015
【図１４】
2011023818.tif 000016